(57)【特許請求の範囲】
【請求項１】
グリル庫に出し入れ可能な支持枠と、その支持枠上に支持される焼き網台及び汁受け皿と、前記焼き網台上に支持される焼き網とを備えたグリルであって、
前記焼き網台を前記支持枠と別体に形成して前記支持枠から取り外し可能としたことを特徴とするグリル。
【請求項２】
前記焼き網台を、金属製の棒材によって形成する一方、前記支持枠に、前記焼き網台に設けた係止部が係止して位置決め可能な位置決め部を形成したことを特徴とする請求項１に記載のグリル。
【請求項３】
前記焼き網台は、前記焼き網台及び汁受け皿が前記支持枠に支持された状態で前記汁受け皿のフランジの下側に位置する水平部と、その水平部の前後両端部から立ち上がる立ち上がり部とを有し、前記立ち上がり部は、前記焼き網が載置される載置部と、その載置部よりも上方に突出する突出部とを備えることを特徴とする請求項１又は２に記載のグリル。
【発明の詳細な説明】
【技術分野】
【０００１】
本発明は、グリル庫に出し入れ可能な焼き網を備えるグリルに関する。
【背景技術】
【０００２】
グリルは、特許文献１に開示の如く、グリル扉の開閉操作によってグリル庫内に出し入れ可能な支持枠を備え、支持枠上に、グリル皿（汁受け皿）が載置可能であると共に、支持枠の前後にそれぞれ立設した台座によって、焼き網がグリル皿の上方で支持可能となっている。よって、支持枠を出し入れすることで、グリル皿と焼き網とが同時に出し入れ可能となる。
【先行技術文献】
【特許文献】
【０００３】
【特許文献１】特開２０１１−２５４９５５号公報
【発明の概要】
【発明が解決しようとする課題】
【０００４】
しかし、特許文献１のグリルにおいては、汁受け皿に隠れる支持枠については汚れが付着しにくいにもかかわらず、支持枠と台座とが一体になっているため、汚れのない支持枠ごと台座をグリルから取り出して洗い場に持ち運んで全体を洗う必要があり、非常に面倒となっている。
【０００５】
そこで、本発明は、手入れが簡単で使い勝手の良いグリルを提供することを目的としたものである。
【課題を解決するための手段】
【０００６】
上記目的を達成するために、請求項１に記載の発明は、グリル庫に出し入れ可能な支持枠と、その支持枠上に支持される焼き網台及び汁受け皿と、焼き網台上に支持される焼き網とを備えたグリルであって、焼き網台を支持枠と別体に形成して支持枠から取り外し可能としたことを特徴とするものである。
請求項２に記載の発明は、請求項１の構成において、焼き網台を、金属製の棒材によって形成する一方、支持枠に、焼き網台に設けた係止部が係止して位置決め可能な位置決め部を形成したことを特徴とするものである。
請求項３に記載の発明は、請求項１又は２の構成において、焼き網台は、焼き網台及び汁受け皿が支持枠に支持された状態で汁受け皿のフランジの下側に位置する水平部と、その水平部の前後両端部から立ち上がる立ち上がり部とを有し、立ち上がり部は、焼き網が載置される載置部と、その載置部よりも上方に突出する突出部とを備えることを特徴とするものである。
【発明の効果】
【０００７】
請求項１に記載の発明によれば、焼き網台を汚れがつきにくい支持枠から分離して、個別に取り外すことができるので、洗い場等への持ち運びや、手入れの点で便利である。
請求項２に記載の発明によれば、請求項１の効果に加えて、別体にした焼き網台を支持枠上の適正位置へ簡単にセットすることができる。加えて、焼き網台が棒材で形成されているので、スポンジ等での洗浄が非常に楽である。
請求項３に記載の発明によれば、請求項１又は２の効果に加えて、前後の立ち上がり部に形成される突出部を保持し、焼き網台を上方に持ち上げると、汁受け皿のフランジが水平部に載った状態で、焼き網台と、焼き網台上の焼き網と、汁受け皿といった、調理による汚れが生じやすいパーツのみを一度に洗い場に移動させることができるので、手入れが非常に容易である。
また、持ち手となる突出部が前後両端部に形成されているので、持ち運び時における安定性を高めることが可能となる。
【図面の簡単な説明】
【０００８】
【図１】テーブルコンロの斜視図である。
【図２】グリルの断面図である。
【図３】支持枠、焼き網台、汁受け皿、焼き網の斜視図である。
【図４】支持枠上に焼き網台をセットした状態の斜視図である。
【図５】支持枠上に焼き網台及び汁受け皿をそれぞれセットした状態の斜視図である。
【図６】支持枠上に焼き網台及び汁受け皿、焼き網をそれぞれセットした状態の斜視図である。
【発明を実施するための形態】
【０００９】
以下、本発明の実施の形態を図面に基づいて説明する。
図１は、テーブルコンロの斜視図で、テーブルコンロ１は、器体２の上部に左右一対のコンロ部３，３を備える一方、器体２内の中央にグリル４を備えている。このグリル４は、図２にも示すように、器体２内で区画形成されるグリル庫５を備え、グリル庫５内の天板には、燃焼面を下向きにした上バーナ６が設けられる一方、グリル庫５内の下側左右には、下バーナ７，７がそれぞれ備えられている。８は、器体２の上部後方に設けられたグリル排気口である。
【００１０】
また、グリル庫５の底部には、前方から出し入れ可能に収納される支持枠９が設けられ、支持枠９上に、図３にも示すように、焼き網台１０と、フランジ部１１ａ付の汁受け皿１１と、焼き網１２とがそれぞれ設けられて、支持枠９の出し入れに伴ってグリル庫５から同時に出し入れ可能となっている。
【００１１】
まず、支持枠９は、金属製の棒材を矩形状に折り曲げ形成すると共に、枠内で長手方向の両端に、汁受け皿１１のフランジ部１１ａを受けて汁受け皿１１を支持すると共に、焼き網台１０を支持する支持板１３，１３を固着したもので、手前側の支持板１３に形成した起立部１４には、グリル扉１５が着脱可能に装着される。また、各支持板１３，１３には、互いに対向する端縁側から長手方向に伸びる凹溝１７と、凹溝１７と連続する透孔１８とからなる位置決め部１６，１６がそれぞれ形成されている。加えて、各支持板１３，１３の、各位置決め部１６，１６よりもやや支持枠９の左右方向中央部側に寄った位置には、汁受け皿１１のフランジ部１１ａと当接するボス部１３ａがそれぞれ形成されており（グリル扉１５側の２個のボス部については図示を省略）、これら合計四個のボス部１３ａにより汁受け皿１１を支持枠９上に支持するように構成されている。さらに、支持枠９は、グリル庫５の左右に設けられたレール状の支持枠受け１９，１９（図２に図示）によって前後方向へスライド可能にガイドされている。
【００１２】
次に、焼き網台１０は、金属製の棒材を折り曲げ形成してなる枠状で、支持枠９内で支持板１３，１３の間に収まる水平部２０と、その水平部２０の長手方向の両端に連設される凸字状の立ち上がり部２１，２１とを備えている。水平部２０と各立ち上がり部２１との間には、支持板１３，１３に形成された位置決め部１６，１６の凹溝１７に嵌合する長手方向の棒状部２３と、透孔１８に嵌合する下向きの屈曲部２４とからなる係止部２２，２２がそれぞれ形成されている。すなわち、係止部２２，２２を位置決め部１６，１６に合わせて焼き網台１０を載置すると、図４に示すように、水平部２０が支持板１３，１３の間に収まって立ち上がり部２１，２１が支持板１３からそれぞれ上方へ突出する適正位置に焼き網台１０がセット可能となっている。
【００１３】
次に、汁受け皿１１は、平面視矩形状で、長手方向が焼き網台１０の立ち上がり部２１，２１の間に収まる寸法に、短手方向が支持枠９の幅と略同じ寸法にそれぞれ形成されている。また、汁受け皿１１は、焼き網台１０の水平部２０の内側に遊挿される中央の凹部２５と、その凹部２５の周縁部から外方向に広がるフランジ部１１ａとから構成されている。
そして、焼き網１２は、金属製の大径の棒材によって平面視矩形状に形成される外枠２６と、金属製の小径の棒材によって外枠２６内で長手方向に所定間隔をおいて複数配設される短手方向の内枠２７とからなり、短手方向の両端は斜め上向きにそれぞれ傾斜している。また、外枠２６における長手方向の両端には、焼き網台１０の立ち上がり部２１の左右上部に係止する一対の突部２８，２８がそれぞれ形成されている。なお、立ち上がり部２１の中央部には、載置部となる左右上部に突部２８，２８が係止した際に、当該突部２８，２８よりも上方に突出する突出部２１ａが形成されている。
【００１４】
以上の如く構成されたグリル４においては、支持枠９上に、焼き網台１０を、前述のように係止部２２を位置決め部１６に合わせて載置すると、焼き網台１０は、図４に示すように、水平部２０が支持板１３，１３の間に収まって立ち上がり部２１，２１が支持板１３，１３から上方へ突出する状態でセットされる。
【００１５】
次に、汁受け皿１１を支持枠９上へ、焼き網台１０の立ち上がり部２１，２１の間に位置するようにして載置すると、汁受け皿１１は、フランジ部１１ａが焼き網台１０のボス部１３ａに当接し、図５に示すように、凹部２５が焼き網台１０の水平部２０内に挿入されて前後左右に移動規制された状態でセットされる。
最後に焼き網１２を、焼き網台１０の立ち上がり部２１，２１の間で、突部２８，２８が立ち上がり部２１の左右上部に位置するようにして載置すると、焼き網１２は、図６に示すように、両端が立ち上がり部２１にそれぞれ係止することで、汁受け皿１１の上方で水平に支持される。
【００１６】
こうして焼き網台１０、汁受け皿１１、焼き網１２を載置した支持枠９を、グリル庫５の支持枠受け１９にガイドさせながらグリル庫５内に押し込むと、図１，２のように焼き網１２が上下バーナ６，７の間で支持されることになる。よって、焼き網１２上に載置した被調理物を上下バーナ６，７によって加熱調理することができる。
【００１７】
そして、加熱調理によって汚れた焼き網１２や焼き網台１０を洗いたい場合、グリル扉１５によって支持枠９をグリル庫５から引き出した状態で、まず焼き網１２を焼き網台１０から取り外し、次に汁受け皿１１を支持枠９から取り外す。最後に焼き網台１０を支持枠９から取り外せば、焼き網１２、汁受け皿１１、焼き網台１０をそれぞれ個別に取り外して洗うことができる。
また、両立ち上がり部２１の中央部（突出部２１ａ）を保持し上方に持ち上げることで、焼き網１２及び汁受け皿１１が焼き網台１０に載置された状態で、汚れのつきにくい支持枠９から取り外すことができる。これにより、汚れが付着しやすいパーツ（焼き網台１０、汁受け皿１１、焼き網１２）のみを一度に洗い場に持ち運ぶことができるので、手入れに便利である。
なお、汁受け皿１１の凹部２５は、焼き網台１０の水平部２０内に挿入されているので、焼き網台１０を持ち上げると汁受け皿１１のフランジ部１１ａが焼き網台１０の水平部２０に載置された状態になり、この状態で洗い場等に持ち運ばれることになる。
【００１８】
このように、上記形態のグリル４によれば、焼き網台１０を支持枠９と別体に形成して支持枠９から取り外し可能としたことで、焼き網台１０を、汁受け皿１１の下側に隠れて汚れが付着しにくい支持枠９と別体に形成して、個別に取り外すことができるので、洗い場等への持ち運びや、手入れの点で便利である。
また、両立ち上がり部２１の中央部を保持し持ち上げることで、焼き網１２、汁受け皿１１ごと焼き網台１０を支持枠９から取り外し洗い場等へ持ち運ぶことができるので、持ち運びの際の安定感を向上させることができる。
特にここでは、焼き網台１０を、金属製の棒材によって形成する一方、支持枠９に、焼き網台１０に設けた係止部２２が係止して位置決め可能な位置決め部１６を形成したことで、別体にした焼き網台１０を支持枠９上の適正位置へ簡単にセットすることができる。また、焼き網台１０を棒材のみで形成したので、スポンジ等で簡単に洗うことができる。
【００１９】
なお、上記形態では、支持枠を棒材と支持板とによって形成しているが、棒材のみ或いは板材のみで形成しても差し支えない。また、焼き網台も、棒材のみに限らず、板材と組み合わせて形成することも可能である。この場合、係止部と位置決め部も支持枠や焼き網台の構造に合わせて適宜設計変更すればよい。
さらに、上記形態では両面焼きのグリルについて説明しているが、片面焼きのグリルであっても本発明の適用は妨げない。
その他、上記形態ではテーブルコンロのグリルについて説明しているが、ビルトインコンロに組み込まれるグリルであっても本発明は適用可能である。
【符号の説明】
【００２０】
１・・テーブルコンロ、２・・器体、４・・グリル、５・・グリル庫、６・・上バーナ、７・・下バーナ、９・・支持枠、１０・・焼き網台、１１・・汁受け皿、１２・・焼き網、１３・・支持板、１６・・位置決め部、１７・・凹溝、１８・・透孔、１９・・支持枠受け、２０・・水平部、２１・・立ち上がり部、２２・・係止部、２３・・棒状部、２４・・屈曲部、２６・・外枠、２７・・内枠、２８・・突部。
【図１】
0005886131.tif 000002
【図２】
0005886131.tif 000003
【図３】
0005886131.tif 000004
【図４】
0005886131.tif 000005
【図５】
0005886131.tif 000006
【図６】
0005886131.tif 000007